(57)【特許請求の範囲】
【請求項１】
容器の口部に装着されて開口部を通して内溶物が注出される注出栓と、
前記開口部を密封する板状の密封部を有して当該密封部を取り除くための把持部が形成された合成樹脂製の密封部材とを備え、
当該密封部材又は注出栓は、当該注出栓又は密封部材をインサート品として互いに異なる樹脂を用いて剥離可能に一体に成形されたものであり、
前記密封部の中心に窪みが形成されていることを特徴とする、密封注出栓。
【請求項２】
請求項１において、前記密封部材は、可撓性を有する樹脂からなることを特徴とする、密封注出栓。
【請求項３】
請求項１又は２において、前記開口部は、密封部の外縁部が密着する段差により取り囲まれていることを特徴とする、密封注出栓。
【請求項４】
請求項１乃至３のいずれか１項において、密封部の側面及び段差の側面にそれぞれ、互いの引っ掛かりより固定保持される係止部を設けたことを特徴とする、密封注出栓。
【請求項５】
請求項１乃至４のいずれか１項において、前記把持部は、前記密封部から起立するものであることを特徴とする、密封注出栓。
【請求項６】
請求項１乃至４のいずれか１項において、前記把持部は、前記密封部の外縁部から内側に折り返されたものであることを特徴とする、密封注出栓。
【請求項７】
請求項１乃至５のいずれか１項において、前記密封部材は、注出栓と異なる色彩のものであることを特徴とする、密封注出栓。
【発明の詳細な説明】
【技術分野】
【０００１】
本発明は、容器の口部に装着されて開口部を通して内溶物が注出される注出栓であって、その未使用状態を視認できると共に、使用に際して容易に取り外すことのできる密封注出栓に関するものである。
【背景技術】
【０００２】
従来の密封注出栓としては、注出栓の天壁に、薄肉の破断予定線で密封部を形作り、使用に際しては、破断予定線を引きちぎって開口部を形成することで、その未使用状態を維持していた（例えば、特許文献１参照）。
【先行技術文献】
【特許文献】
【０００３】
【特許文献１】実開昭６２−４０９２３号公報
【発明の概要】
【発明が解決しようとする課題】
【０００４】
このように密封部を注出栓と一体に設ける場合、容器に注出栓を取り付けるだけの簡単な作業で容器の未使用状態を維持できるため、製品としての生産性に優れる。
【０００５】
しかしながら、破断予定線を引きちぎって開口部を形成する場合、引きちぎりに力を要するため、改善の余地があった。
【０００６】
本発明の目的とするところは、密封部を一体に設けることができると共に、使用に際しての取り外しの容易な、新規な密封注出栓を提供することにある。
【課題を解決するための手段】
【０００７】
本発明は、容器の口部に装着されて開口部を通して内溶物が注出される注出栓と、
前記開口部を密封する板状の密封部を有して当該密封部を取り除くための把持部が形成された合成樹脂製の密封部材とを備え、
当該密封部材又は注出栓は、当該注出栓又は密封部材をインサート品として互いに異なる樹脂を用いて剥離可能に一体に成形されたものであり、
前記密封部の中心に窪みが形成されていることを特徴とするものである。
【０００８】
前記密封部材は、可撓性を有する樹脂からなるものとすることができる。
【０００９】
前記開口部は、密封部の外縁部を載置する段差により取り囲まれたものとすることができる。
【００１０】
密封部の側面及び段差の側面にはそれぞれ、互いの引っ掛かりより固定保持される係止部を設けることができる。
【００１１】
前記把持部は、前記密封部から起立するものとすることができ、或いは、前記密封部の外縁部から内側に折り返されたものとすることができる。更に、前記密封部材は、注出栓と異なる色彩のものとすることができる。
【発明の効果】
【００１２】
本発明によれば、密封部材は、注出栓の一部として一体成形することができる。このため、容器に適用して製品とする際には、容器の口部に装着すればよい。従って、本発明は、容器に適用して製品とする際の生産性に優れる。
【００１３】
また、注出栓と密封部材とを一体成形したことで、注出栓と密封部とは擬似接着されているにすぎない。このため、注出栓の開封を容易に行うことができる。更に、密封部材は注出栓全体を覆うのではなく、当該注出栓の一部として局所的に一体成形されているので、注出栓の開封を更に容易に行うことができる。
【００１４】
従って、本発明によれば、密封部材を一体に設けることができると共に、使用に際しての取り外しの容易な、新規な密封注出栓を提供することができる。
【図面の簡単な説明】
【００１５】
【図１】(a)は、本発明の密封注出栓の第１の形態を示す斜視図であり、(b)は、密封部材を引き剥がした注出栓を示す要部斜視図である。本発明の第２の形態を示す斜視図である。
【図２】(a)は、同形態の密封注出栓を容器の口部に装着した状態を軸線に対して片側のみで示す要部縦断面図であり、(b)は、本発明の第２の形態を示す要部斜視図である。
【発明を実施するための形態】
【００１６】
以下、図面を参照して、本発明である、密封注出の様々な形態を詳細に説明する。
【００１７】
図１は、本発明の第１の形態である。符号１は、図１(a)に示すように、天壁２とこの天壁２から垂下する周壁３とを有し、図１(b)に示すように、天壁２に開口部Ａが形成された合成樹脂製の注出栓である。
【００１８】
注出栓１は、図２(a)に示すように、外筒壁４と内筒壁５を有し、これら相互間に形成された環状溝に、容器口部１０の上端１１が嵌合保持されている。このとき、外筒壁４は、上端１１に引っ掛かって抜け止めの機能を果たし、内筒壁５は、容器口部１０の内周面に密接して密封性を確保する。尚、本発明に従えば、外筒壁４を設けることなく、内筒壁５のみ容器口部１０に嵌合する形態としてもよい。
【００１９】
注出栓１は、図２(a)に示すように、容器口部１０との間に空間Ｓを形成し、開口部Ａが空間Ｓを通して容器内に通じる注出口として機能する。これにより、容器の内容物は、開口部Ａを通して注出される。
【００２０】
符号６は、開口部Ａを密封する合成樹脂製の密封部材である。密封部材６は、開口部Ａに密着して当該開口部Ａを閉じる密封部６ａを有して、この密封部６ａを取り除くための把持部６ｂが一体に成形されている。
【００２１】
密封部材６は、例えば、注出栓１に対して密封部材６をインサート品として、互いに異なる樹脂を用いて剥離可能に一体に射出成形されている。注出栓１は、例えば、低密度ポリエチレンで構成されている。また、密閉部材６は、例えば、可撓性を有する非オレフィン系のエラストマ、ナイロンで構成されている。
【００２２】
更に詳細には、開口部Ａは、図１(b)に示すように、段差７により取り囲まれている。段差７には、図２(a)に示すように、密封部６ａの外縁部６ｃが密着する。即ち、本形態では、開口部Ａは、図１(b)に示すように、段差７の底面７ａに形成されている。
【００２３】
把持部６ｂは、密封部６ａの外縁部６ｃから、その側面６ｆに沿って一体に起立する。これにより、使用者が、把持部６ｂを外方に引き上げれば、図１(b)に示すように、密封部６ａを上方に引き剥がすことができる。
【００２４】
本発明によれば、密封部材６ａは、上述のとおり、注出栓１の一部として一体成形することができる。このため、容器に適用して製品とする際には、容器口部１０に装着すればよい。従って、本発明は、容器に適用して製品とする際の生産性に優れる。
【００２５】
また、注出栓１と密封部６ａとを一体成形したことで、注出栓１と密封部６ａとは擬似接着されているにすぎない。このため、注出栓１の開封を容易に行うことができる。更に、密封部材６は、本形態の如く、注出栓１全体を覆うのではなく、当該注出栓１の一部として局所的に一体成形されているので、注出栓１の開封を更に容易に行うことができる。
【００２６】
従って、本発明によれば、密封部材６を一体に設けることができると共に、使用に際しての取り外しの容易な、新規な密封注出栓を提供することができる。
【００２７】
また、本形態の如く、密封部材６を、エラストマ等の、可撓性を有する樹脂からなるものとすれば、比較的容易な開封操作を実現することができる。
【００２８】
ところで、本発明によれば、密封部材６は、その密封部６ａを開口部Ａのみ一体に成形することも可能であるが、天壁２が薄肉に構成されている等の場合には、一体成形による擬似接着力を一定の値まで確保しておく必要がある。
【００２９】
このため、本形態の如く、開口部Ａを、段差７により取り囲み、この段差７に密封部６ａの外縁部６ｃが密着するように構成すれば、密封部６ａを開口部Ａに対して容易に一体成形することができる。更にこの場合、密封部材６の引き剥がしに要する力を段差７の深さや底部７ａの面積等の密着面積の変更により適宜調整することができる。なお、本発明に従えば、段差７を設ければ、密封部６ａの保持に有効であるが、必要に応じて省略することができる。
【００３０】
加えて、本形態の如く、把持部６ｂを密封部６ａから起立させれば、使用者が容易に把持部６ｂを掴めることで、比較的容易な開封操作を実現することができる。
【００３１】
なお、把持部６ｂは、本形態の如く、密封部６ａの側面６ｆに沿って起立させれば、把持部６ｂを摘み易く密封部６ａを容易に引き剥がすことができるが、本発明に従えば、密封部６ａを起立させる位置は、密封部６ａ上のいずれの位置でもよい。また、本形態では、密封部６ａに窪み６ｄが形成されている。この場合も、密封部６ａを変形させ易くなるので、密封部６ａを効率的に引き起こすことができる。
【００３２】
ところで、密封部材６は、注出栓１から引き剥がすと、その役目を終えるが、本発明に従えば、キャップとして再利用することができる。
【００３３】
図２(b)は、本発明の第２の形態である。なお、他の形態と同一の部分は、同一の符号をもって、その説明を省略する。
【００３４】
本形態では、同図に示すように、密封部６ａの側面６ｆ及び段差７の側面７ｂにそれぞれ、互いの引っ掛かりより固定保持される係止部Ｃ1,Ｃ2が設けられている。更に詳細には、同図に示すように、係止部Ｃ1を、密封部６ａの側面６ｆから突出する凸部とし、係止部Ｃ2を段差７の側面７ｂに形成された凹部とする。
【００３５】
この場合、密封部材６を引き剥がして開封状態にした後も、状況に応じて、密封部材６をキャップとして使用することができる。また、かかる構成によれば、一体成形による擬似接着に加え、機械的な密着も実現できる。即ち、密封部材６の引き剥がしに要する力を係止部Ｃ1,Ｃ2の形状等の変更により適宜調整することができる。
【００３６】
なお、本発明に従えば、係止部Ｃ1,Ｃ2は、密封部６ａの側面６ｆ及び段差７の側面７ｂの全周に亘って、或いは、局所的に設けることができる。また、係止部Ｃ1を凹部とし、係止部Ｃ2を凸部とすることも可能である。
【００３７】
また、本形態において、把持部６ｂは、密封部６ａの外縁部６ｃから、軸線Ｏに向かって内側に折り返されたものである。この場合、密封部６ａと把持部６ｂとの間の隙間に指を入れて引っ張れば、密封部６ａを容易に引き剥がすことができる。特に、本形態では、把持部６ｂの一部を同図に示すように突出させることで、その操作性を高めている。
【００３８】
上述したところは、本発明の一形態を示したにすぎず、特許請求の範囲内において、種々の変更を加えることができる。本発明に従えば、例えば、密封注出栓は、密封部材に対して注出栓をインサート品として互いに異なる樹脂を用いて注出栓を剥離可能に一体に成形することもできる。また、密封部材６は、この場合、未使用状態を視覚的に認識し易くなる。また、各形態に採用された各構成はそれぞれ、互いに適宜組み合わせることができる。
【産業上の利用可能性】
【００３９】
本発明は、容器の口部に装着されて開口部を通して内溶物が注出される注出栓であれば、内容物は、液体等の流動体は勿論、粉体や粒状体等の固形物とするもの等、様々なものに適用することができる。
【符号の説明】
【００４０】
１    注出栓
２    天壁
３    周壁
４    外筒壁
５    内筒壁
６    密封部材
６ａ  密封部
６ｂ  把持部
６ｃ  外縁部
６ｄ  窪み
６ｆ  側面
７    段差
７ａ  底面
７ｂ  側面
Ａ    開口部（注出口）
Ｃ1  係止部
Ｃ2  係止部
【図１】
0005611810.tif 000002
【図２】
0005611810.tif 000003